(57)【特許請求の範囲】
【請求項１】
身体の一方の手で握られる第１把手と、
身体の他方の手で握られる第２把手と、
前記第１、第２把手にそれぞれ設けられ、握られた手から心電を計測する心電電極と、
前記第１、第２把手の一方に設けられ、握られた手から脈拍を計測する脈拍センサと、
前記第１、第２把手にそれぞれ設けられ、握られた手から身体の比抵抗を計測する体脂肪電極と、
前記心電電極によって計測された心電と、前記脈拍センサによって計測された脈拍との時間差から血圧を算出する血圧計測部と、
前記体脂肪電極によって計測された比抵抗から体脂肪率を算出する体脂肪計測部と、
を備える健康管理機器。
【請求項２】
請求項１の健康管理機器において、
人差指、中指、薬指のいずれかが、前記心電電極、前記脈拍センサ、前記体脂肪電極のそれぞれに自然に置かれるように、
前記心電電極、前記脈拍センサおよび前記体脂肪電極が一定間隔を空けて配置されるとともに、指が置かれ易いように前記第１、第２把手の握りは円弧状に凹んでいることを特徴とする健康管理機器。
【請求項３】
請求項１の健康管理機器において、
前記心電電極と前記体脂肪電極は、電気的に絶縁して設けられたことを特徴とする健康管理機器。
【請求項４】
請求項３の健康管理機器において、
前記心電電極によって得られた信号から心電を計測する心電計測部の前段部に電気フィルタを組入れ、前記体脂肪電極から前記心電計測部を電気的に絶縁することを特徴とする健康管理機器。
【請求項５】
請求項３の健康管理機器において、
前記心電電極による心電の計測と、前記体脂肪電極による比抵抗の計測とを、交互に計測することを特徴とする健康管理機器。
【請求項６】
請求項１の健康管理機器において、
前記血圧および体脂肪計測結果を表示する表示器を有することを特徴とする健康管理機器。
【発明の詳細な説明】
【０００１】
【発明の属する技術分野】
本発明は、高血圧が原因で発生する心筋梗塞や脳溢血等を未然に防ぐために用いて好適な健康管理機器に関するもので、医療機器としての使用はもちろん、在宅における健康管理機器としても好適なものである。
【０００２】
【従来の技術】
血圧の測定も体脂肪率の測定も成人病予防に不可欠なものであり、従来では血圧は血圧計で測定し、体脂肪率は体脂肪計で測定している。
従来の血圧計として、カフを上腕または手首に巻き、カフを加圧して、その反圧を計測することにより血圧を測定するものが市販されている。しかし、カフの取り付けによる煩わしさや、圧力による装着違和感がある。
そこで、手首に装着する腕時計に、光学式脈拍センサと心電電極を組み込み、光学式脈拍センサで脈拍と心拍を計測し、脈拍の伝搬時間が血圧に比例することから、脈拍の伝搬時間から血圧を推定する技術が開示されている（特開平７−１１６１３２号公報）。
【０００３】
一方、従来の体脂肪計として、２つの把手を両手でつかみ、それぞれの把手に設けられた電極から身体に微弱電流を流し、身体の比抵抗から体脂肪率を算出するものが市販されている。
【０００４】
【発明が解決しようとする課題】
血圧の測定も体脂肪率の測定も成人病予防に不可欠なものであるが、上述のように、従来では血圧と体脂肪とを別々の機器（血圧計と体脂肪計）で、別々に測定する必要がある。
【０００５】
【発明の目的】
本発明は、上記の事情に鑑みてなされたもので、その目的は、血圧と体脂肪率とを、一度の計測で測定できる健康管理機器の提供にある。
【０００６】
【課題を解決するための手段】
測定者が第１、第２把手を握る。この状態で、心電電極によって握られた手から心電を測定するとともに、脈拍センサによって脈拍を測定する。血圧計測部では、測定された心電と、測定された脈拍との時間差から血圧を算出する。
また、測定者が第１、第２把手を握った状態で、体脂肪電極によって握られた手から比抵抗を測定する。体脂肪計測部では、測定された比抵抗から体脂肪率を算出する。
ここで、心電計測部と体脂肪計測部は、電気的に絶縁されており、測定者が第１、第２把手を握ることによって、血圧と体脂肪率とを一度に測定できる。
【０００７】
【発明の実施の形態】
本発明の実施の形態を、図面を参照して説明する。なお、図１は健康管理機器の概略ブロック図を示し、図２は健康管理機器の斜視図を示し、図３は左右の把手に設けられた電極やセンサの配置を示す図である。
【０００８】
健康管理機器は、図２に示すように、本体１と、左右の手ＬＨ、ＲＨでそれぞれ握られる第１、第２把手２、３とから構成される。
第１把手２には、図３に示されるように、心電電極２Ａ、光学式脈拍センサ２Ｂ、体脂肪電極２Ｃが取り付けられており、第２把手３には、心電電極３Ａ、体脂肪電極３Ｃが取り付けられている。
【０００９】
左右の第１、第２把手２、３は、手で握った時に、人差指が心電電極２Ａ、３Ａに、中指が脈拍センサ２Ｂに、薬指が体脂肪電極２Ｃ、３Ｃに自然に置かれるように、心電電極２Ａ、３Ａ、脈拍センサ２Ｂおよび体脂肪電極２Ｃ、３Ｃが一定間隔を空けて配置されるとともに、各指が置かれ易いように第１、第２把手２、３の握りは円弧状に凹んで設けられている。
ここで、人差指、中指、薬指それぞれが、上記の様にそれぞれの電極またはセンサに対応している必要はない。
【００１０】
また、本体１には、心電電極２Ａ、３Ａによって得られた信号から心電を計測する心電計測部４、脈拍センサ２Ｂによって得られた信号から脈拍を計測する脈拍計測部５、心電計測部４で計測された心電と脈拍計測部５で計測された脈拍との時間差から血圧を算出する血圧計測部６、体脂肪電極２Ｃ、３Ｃによって計測された比抵抗から体脂肪率を算出する体脂肪計測部７が設けられている。
また、本体１には、血圧計測部６で算出された血圧値、および体脂肪計測部７で算出された体脂肪率を表示する表示部８が設けられている。
【００１１】
測定者が第１、第２把手２、３をそれぞれ両手でつかむと、測定者の身体が導体となり、左右の体脂肪電極２Ｃ、３Ｃに弱電流が流れ、その比抵抗から体脂肪計測部７で体脂肪率が求められる。
【００１２】
同時に、左右の心電電極２Ａ、３Ａも導通し、心電計測部４で心電信号が計測される。
ここで、体脂肪と心電を同一回路で計測すると、心電電極２Ａ、３Ａおよび体脂肪電極２Ｃ、３Ｃが電気的に導通してしまい、心電信号の計測が出来ない。そこで、心電計測部４の前段に電気フィルタを挿入し、心電信号のみが心電計測部４に入力されるように設けられている。
また、体脂肪と心電図を同一回路で計測するために、心電信号が０．４〜１．２秒の間隔で繰り返し発生しているのを利用して、強い心電信号のない間隔内で体脂肪を計測するようにリレー回路を体脂肪計測部７に組み込んでも良い。
一方、光学式の脈拍センサ２Ｂには、発光素子と受光素子が組み込まれており、発光素子から照射された光は指先で反射されて受光素子で検出されるが、脈拍に伴い発光素子から照射された光の一部が血液に吸収されて光反射量が変化するため、受光素子の受光信号は脈拍計測部５に送られ、脈拍信号として処理される。
【００１３】
心電計測部４と脈拍計測部５で得られた心電信号と脈拍信号は、血圧計測部６へ送られる。
血圧計測部６は、心電と脈拍との時間差を演算する。演算された時間差は、統計上、血圧値と相関関係にあるので、血圧計測部６は所定の換算式により血圧値を求める。
【００１４】
そして、体脂肪計測部７で求められた体脂肪率、および血圧計測部６で求められた血圧値は、本体１の表示部８に表示される。
このように、測定者は、これまでは別々に計測してきた体脂肪率と、血圧値とを、本発明にかかる健康管理機器を用いることにより、一度の計測で測定でき、生活習慣病の予防健康管理に役立てることができる。
【図面の簡単な説明】
【図１】健康管理機器の概略ブロック図である。
【図２】健康管理機器の斜視図である。
【図３】左右の把手に設けられた電極やセンサの配置を示す図である。
【符号の説明】
２          第１把手
３          第２把手
２Ａ、３Ａ  心電電極
２Ｂ        脈拍センサ
２Ｃ、３Ｃ  体脂肪電極
４          心電計測部
５          脈拍計測部
６          血圧計測部
７          体脂肪計測部
【図１】
0003778330.tif 000002
【図２】
0003778330.tif 000003
【図３】
0003778330.tif 000004